(57)【特許請求の範囲】
【請求項１】
放送波を受信する受信部と、
前記受信部が受信した放送波をデコードして放送データを出力するデコーダと、
周囲を撮影し、撮影データを出力する撮影部と、
前記デコーダから出力される放送データ、あるいは、前記撮影部から出力される撮影データを記憶する記憶部と、
前記デコーダから出力される放送データ、あるいは、前記記憶部に記憶された放送データを出力する出力部と、
前記デコーダから出力される放送データの出力命令、あるいは、前記記憶部に記憶された放送データの再生命令を受け、前記デコーダ、撮像部、記憶部および出力部を制御する制御部とを備えたカメラ付表示装置であって、
前記制御部は、前記出力命令に基づく出力動作が行われている間、あるいは、前記再生命令に基づく出力動作が行われている間を除いて、前記撮影部から出力される撮影データを前記記憶部に記憶するように制御することを特徴とするカメラ付表示装置。
【請求項２】
前記出力部は、前記撮影部から出力される撮影データ、あるいは、前記記憶部に記憶された撮影データを出力可能であることを特徴とする請求項１に記載のカメラ付表示装置。
【請求項３】
前記撮影部から出力される撮影データを前記記憶部に記憶していないときは、前記撮影部は前記撮影自体を止めることを特徴とする請求項１に記載のカメラ付表示装置。
【請求項４】
前記撮影部が撮影をしている間、当該撮影動作を行っていることを出力部により示すことを特徴とする請求項1に記載のカメラ付表示装置。
【発明の詳細な説明】
【技術分野】
【０００１】
本発明は、カメラが付加・内蔵された、テレビなどの表示装置におけるアプリケーションに関する。
【背景技術】
【０００２】
カメラによりユーザのジェスチャを撮影し、そのジェスチャが示す命令を取得する方法が提案されている。（特許文献１及び２参照）
この仕組みをテレビに搭載すれば、ユーザはリモコンのような専用の機器を使用せずにテレビを遠隔操作できるようになる。
【０００３】
また、カメラによりユーザを認識し、ユーザに応じた動作をテレビに行わせる方法が提案されている。（特許文献３参照）
この提案ではカメラがユーザの虹彩を撮影し、それによりユーザを識別している。ユーザが幼児や未成年者の場合には、教育上悪影響を与える画面が表示されるときに、チャンネルを切り替えたり、警告を発したり、電源を切ったりすることができるようにしている。
【０００４】
一方、屋外でのカメラによる映像を屋内での警備室等に設置したモニタテレビに表示するセキュリティの監視システムが提案されている。（特許文献４参照）。
【０００５】
【特許文献１】特開平7-73289
【特許文献２】特開平10-255052
【特許文献３】特開2001-16514
【特許文献４】特開平5-314381
【発明の開示】
【発明が解決しようとする課題】
【０００６】
上記特許文献１ないし３に開示される発明では、テレビにカメラが付加・内蔵されていても、カメラとして使用されているのは、テレビとして使用する場合のみであり、ユーザが外出しているときや、ユーザが就寝しているときなど、使用されていない場合も長いと考えられる。
【０００７】
一方、上記特許文献４に開示される発明は、屋外での監視を行うものであるが、屋内での監視は考慮されていない。
【０００８】
ここで、屋内での監視を行いたい場合に、テレビに付加・内蔵されたカメラを用いれば、カメラを有効利用することができる。
【０００９】
この場合、ユーザが監視を行いたいときに、スイッチ等で撮影・記録を開始・終了する方法が考えられるが、この方法であると、ユーザは監視を常に意識してスイッチ等を操作しなければならなくなる。
【００１０】
また、侵入者を検知して、撮影・記録するには、装置内で複雑な制御が必要となってしまう。
【００１１】
そこで、本発明においては、簡便な装置で、ユーザに意識させずに屋内での監視を行うことができるカメラ付表示装置を提供することを目的とする。
【課題を解決するための手段】
【００１２】
上記目的を達成するため、本発明のカメラ付表示装置を、放送波を受信する受信部と、前記受信部が受信した放送波をデコードして放送データを出力するデコーダと、周囲を撮影し、撮影データを出力する撮影部と、前記デコーダから出力される放送データ、あるいは、前記撮影部から出力される撮影データを記憶する記憶部と、前記デコーダから出力される放送データ、あるいは、前記記憶部に記憶された放送データを出力する出力部と、ユーザからの動作命令を受け、前記デコーダ、撮像部、記憶部および出力部を制御する制御部とを備えたカメラ付表示装置とし、前記制御部で、前記ユーザからの動作命令に基づく特定の動作が行われている間を除いて、前記撮影部から出力される撮影データを前記記憶部に記憶するように制御させる。
【００１３】
なお、前記ユーザからの動作命令は、前記デコーダから出力される放送データの出力命令、あるいは、前記記憶部に記憶された放送データの再生命令である。
【００１４】
また、前記記憶部では、予めユーザ情報が記憶させ、前記制御部では、撮影部から出力される撮影データに基づく情報と、前記記憶部で記憶されたユーザ情報とを比較し、一致していた場合に、ユーザからの動作命令を受け付けるようにしてもよい。
【００１５】
また、前記出力部は、前記撮影部から出力される撮影データ、あるいは、前記記憶部に記憶された撮影データを出力可能である。
【００１６】
また、前記撮影部から出力される撮影データを前記記憶部に記憶していないときは、前記撮影部は前記撮影自体を止めてもよい。
【００１７】
また、前記記憶部で、撮影データを記憶している間、当該記憶動作を行っていることを出力部により示すようにしてもよい。
【００１８】
また、前記撮影部が撮影をしている間、当該撮影動作を行っていることを出力部により示すようにしてもよい。
【発明の効果】
【００１９】
本発明によれば、簡便な装置で、ユーザに意識させずに屋内での監視を行うことができる。
【発明を実施するための最良の形態】
【００２０】
（第一の実施形態）
図１は、本発明の第一の実施形態におけるカメラ付表示装置１００、及び、赤外線リモコン２００の機能ブロック図である。
【００２１】
制御部１１０は様々な演算を行い、カメラ付表示装置１００に実装された様々なハードウェアを制御すべく、様々なプログラムを実行するCPU(Central Processing Unit：中央処理装置)１１１、ハードウェア制御のためのドライバや、ユーザからの動作命令を受け付けてハードウェアを動かすアプリケーションプログラムを格納するFlash ROM(Read Only Memory)１１２、アプリケーションプログラムのワークエリアとして利用される揮発性記憶領域であるRAM(Random Access Memory)１１３から構成される。アンテナ１２０は放送局から送信される放送波を受信し、それをデコーダ１３０へ転送する。デコーダ１３０はアンテナ１２０から転送された放送波をデコードし、再生可能な動画データ、静止画データ、音声データに変換して制御部１１０へ転送する。カメラ１４０は周囲を撮影し、撮影した動画データ、静止画データ、音声データを制御部１１０へ転送する。HDD（Hard Disk Drive）１５０は大容量の不揮発性記憶装置であり、動画データ、静止画データ、音声データを記憶する。LCD（Liquid Crystal Display：液晶表示装置）１６０は制御部１１０の命令に従い、動画データ、静止画データを受信して画面に表示させる。スピーカ１７０は制御部１１０の命令に従い、音声データを受信して音声を発生させる。赤外線受光部１８０は、ユーザが赤外線リモコン２００から発せられる赤外線を受信し、その赤外線によって通知されるユーザからの命令を制御部１１０へ転送する。赤外線リモコン２００はユーザのカメラ付表示装置１００への命令を赤外線によって送信する。
【００２２】
次に、カメラ付表示装置１００の電源投入から、監視撮影の記録開始から記録停止及び記録再開までの処理フローを図２に示す。
【００２３】
電源投入後（図２のS１００）、制御部１１０はカメラ１４０に撮影を行わせ、撮影した動画データ、音声データをHDD１５０に転送して記憶させる（図２のS１０１）。
【００２４】
制御部１１０はユーザから放送波で送信されている番組の録画命令があった場合（図２のS１０２のYes）、デコーダ１３０から転送された動画データをHDD１５０へ転送して記憶させる（図２のS１０３）。
【００２５】
制御部１１０はユーザから放送波で送信されている番組の出力命令があった場合（図２のS１０４のYes）、カメラ１４０の撮影記録を止め（図２のS１０５）、デコーダ１３０から転送された動画データ、静止画データをLCD１６０に転送して表示させ、音声データをスピーカ１７０に転送して音声を発生させる（図２のS１０６）。
【００２６】
制御部１１０はユーザからHDD１５０に記憶されている動画データ、静止画データ、音声データの再生命令があった場合（図２のS１０４のYes）、カメラ１４０の撮影記録を止め（図２のS１０５）、HDD１５０に記憶されていてユーザからの再生命令があった動画データ、静止画データをLCD１６０に転送して表示させ、音声データをスピーカ１７０に転送して音声を発生させる（図２のS１０６）。
【００２７】
制御部１１０はユーザから動画データ、静止画データ、音声データの再生を止める命令があったとき（図２のS１０７のYes）、それらの再生を止め（図２のS１０８）、カメラ１４０に撮影を行わせ、撮影した動画データ、音声データをHDD１５０に転送して記憶させる（図２のS１０１）。
【００２８】
上記の動作では、制御部１１０はユーザから再生命令があった場合、カメラ１４０の撮影記録を止めているが、この場合、カメラ１４０の撮影自体は継続させて、出力された動画データ、音声データをHDD１５０に記憶させるのを停止させてもよい。
【００２９】
また、制御部１１０は、カメラ１４０に撮影を行わせ、撮影した動画データ、音声データをHDD１５０に転送して記憶させている間、監視撮影を行っていることを示す動画データまたは静止画データをLCD１６０に転送して表示させたり、監視撮影を行っていることを示す音声データをスピーカ１７０に転送して音声を発生させたりしても良い。
【００３０】
また、制御部１１０は、カメラ１４０に撮影を行わせている間、監視撮影を行っていることを示す動画データまたは静止画データをLCD１６０に転送して表示させたり、監視撮影を行っていることを示す音声データをスピーカ１７０に転送して音声を発生させたりしても良い。
【００３１】
また、本実施形態において、再生の開始、停止に応じて、監視記録の停止、開始を行っているが、再生に限らず、別のリモコンで行える動作に応じて、監視記録の停止、開始を行ってもよい。
【００３２】
本実施形態によれば、再生などのテレビ機能としての動作に関連させて、監視記録を行うため、複雑な制御にすることなく、かつ、ユーザに意識させずに屋内での監視を行うことができる。
（第二の実施形態）
本発明の第二の実施形態においても、図１の機能ブロック図となり、基本的な機能や動作は第一の実施形態と同じである。本実施形態では、さらに、カメラ１４０によってユーザのジェスチャを撮影し、各種のジェスチャにカメラ付表示装置１００への命令を割り当てて、実行させる。制御部１１０はカメラ１４０から転送された動画データにおいて、手のひらを識別するプログラムを実装し、識別した手のひらが前記の動画中でどのように動くかを認識することによりジェスチャを認識する。ジェスチャと命令の割り当ては、例えば、手のひらが1秒の静止状態から右に動いた場合デコーダ１３０の選局している放送波のチャンネルを１つ上げる、手のひらが1秒の静止状態から左に動いた場合デコーダ１３０の選局している放送波のチャンネルを１つ下げる、手のひらが1秒の静止状態から上に動いた場合スピーカ１７０の発生させる音声の音量を上げる、手のひらが1秒の静止状態から下に動いた場合スピーカ１７０の発生させる音声の音量を下げる、というようにする。
【００３３】
また、カメラ１４０によってユーザの顔の認識を行わせる。顔の認識は顔を構成する目、鼻、口、耳、眉などの部分の形状や位置、相互関係、さらに、顔の輪郭など、さまざまな顔の特徴を数値化しておき、これを利用して個人の識別を行うものである。予めユーザの顔の特徴をHDD１５０にデータベースとして登録しておき、カメラ１４０が撮影した顔の特徴と照合して一致した場合、正当なユーザであると認識する。
【００３４】
次に、カメラ付表示装置１００の電源投入から、顔認証を含めた監視撮影の記録開始から記録停止、記録再開までの処理フローを図３に示す。
【００３５】
電源投入後（図３のS２００）、制御部１１０はカメラ１４０に撮影を行わせ、撮影した動画データ、音声データをHDD１５０に転送して記憶させる（図３のS２０１）。それと同時に、カメラ１４０が撮影した動画についてHDD１５０に記憶しているユーザの顔の特徴との照合を行い、一致する顔が写されているかどうか、すなわち、正当なユーザが撮影されているか確認する（図３のS２０２）。正当なユーザが撮影されており、かつ、カメラ１４０がジェスチャによる再生命令を撮影した場合、あるいは、正当なユーザが撮影されており、かつ、赤外線受光部１８０が赤外線による再生命令を受信した場合（図３のS２０３のYes）、制御部１１０はカメラ１４０が撮影した動画データ、音声データをHDD１５０に記憶させるのを止める（図３のS２０４）。ただし、ユーザのジェスチャ認識を行うために、カメラ１４０による撮影自体は続行させる。再生命令があった動画データ、静止画データをLCD１６０に転送して表示させ、音声データをスピーカ１７０に転送して音声を発生させる（図３のS２０５）。この間は、制御部１１０はカメラ１４０が撮影した動画データ及び音声データをHDD１５０に記憶させない（図３のS２０６のYes）。カメラ１４０へのジェスチャ、若しくは、赤外線リモコン２００によってユーザが再生停止命令を出して、再生を停止させて一定時間（ユーザの指定により任意設定可能とする）経過したら（図３のS２０７のYes）、制御部１１０はカメラ１４０が撮影した動画データ、音声データをHDD１５０に記憶する動作を開始させる。（図３のＳ２０１）
上記の動作では、正当なユーザが撮影されており、かつ、カメラ１４０がジェスチャによる命令を撮影した場合、あるいは、正当なユーザが撮影されており、かつ、赤外線受光部１８０が赤外線による操作命令を受信した場合、制御部１１０はカメラ１４０が撮影した動画データ、音声データをHDD１５０に記憶させるのを止めているが、この場合、カメラ１４０に撮影自体を止めさせても良い。
【００３６】
また、制御部１１０は、カメラ１４０に撮影を行わせ、撮影した動画データ、音声データをHDD１５０に転送して記憶させている間、監視撮影を行っていることを示す動画データまたは静止画データをLCD１６０に転送して表示させたり、監視撮影を行っていることを示す音声データをスピーカ１７０に転送して音声を発生させたりしても良い。
【００３７】
また、制御部１１０は、カメラ１４０に撮影を行わせている間、監視撮影を行っていることを示す動画データまたは静止画データをLCD１６０に転送して表示させたり、監視撮影を行っていることを示す音声データをスピーカ１７０に転送して音声を発生させたりしても良い。
【００３８】
また、上記の動作では顔認証により正規のユーザを識別しているが、これに限らず、手の特長、例えば、形状、指紋、皺、指輪などのアクセサリー、個人識別のためのタグ、などを認識し、それによって識別しても良い。
【００３９】
また、本実施形態においても、再生の開始、停止に応じて、監視記録の停止、開始を行っているが、再生に限らず、別のリモコンで行える動作に応じて、監視記録の停止、開始を行ってもよい。
【００４０】
本実施形態によれば、再生などのテレビ機能としての動作に関連させて、監視記録を行うため、複雑な制御にすることなく、かつ、ユーザに意識させずに屋内での監視を行うことができ、さらに、正規でないユーザによる監視撮影の停止を防ぐことができる。
【００４１】
（第三の実施形態）
図４は、本発明の第三の実施形態のおけるカメラ付表示装置１００、及び、赤外線リモコン２００の機能ブロック図である。基本的な機能や動作は第一の実施形態と同じである。本実施形態では、さらに、無線LAN（Local Area Network）１９０を備え、外部の不揮発性大容量記憶装置３００と無線LANによって無線通信を行い、データの送受信が可能とする。
【００４２】
図５に不揮発性大容量記憶装置３００の機能ブロック図を示す。
【００４３】
不揮発性大容量記憶装置３００は、無線によってデータの送受信が可能な記憶装置であり、制御部３１０は様々な演算を行い、無線LAN３２０とHDD３３０を制御すべく、様々なプログラムを実行するCPU(Central Processing Unit：中央処理装置)３１１、ハードウェア制御のためのドライバや、ユーザからの命令を受け付けてハードウェアを動かすアプリケーションプログラムを格納するFlash ROM(Read Only Memory)３１２、アプリケーションプログラムのワークエリアとして利用される揮発性記憶領域であるRAM(Random Access Memory)３１３から構成される。無線LAN３２０は外部の機器と無線LANによって無線通信を行い、データの送受信を行う。HDD３３０は実際にデータを記憶する不揮発性大容量記憶装置である。制御部３１０は無線LAN３２０に外部の機器と通信を行わせ、外部の機器からのデータ送受信命令を受け取り、また、HDD３３０に記憶させるデータを受信したり、HDD３３０からデータを送信したりする。
【００４４】
カメラ付表示装置１００において、制御部１１０は、カメラ１４０に撮影を行わせ、撮影した動画データ、音声データを記憶させる場合、無線LAN１９０にそのデータを不揮発性大容量記憶装置３００に転送させて記憶させる。また、制御部１１０は、カメラ１４０が撮影し不揮発性大容量記憶装置３００に記憶させた動画データ、音声データの再生を要求された場合、無線LAN１９０にそのデータを不揮発性大容量記憶装置３００に要求させ、不揮発性大容量記憶装置３００はその要求に応じてHDD３３０に記憶されている動画データ、音声データを無線LAN３２０にカメラ付表示装置１００へ送信させる。無線LAN１９０はそのデータを受信したとき、制御部１１０に転送する。制御部１１０はそのデータを、動画データであればLCD１６０に転送して表示させ、音声データであればスピーカ１７０に転送して再生させる。
【００４５】
カメラ付表示装置１００と不揮発性大容量記憶装置３００の通信のために無線LANを使用したが、無線通信方法はこれに限定するものではない。例えば、有線LANを使用しても良いし、携帯電話無線通信網を利用する公衆無線通信を使用しても良い。
【００４６】
本実施形態によれば、第一及び第二の実施形態における効果に加え、監視撮影した動画データ、音声データを記憶したHDDは、カメラ１４０とは離れた場所に設置することができ、非正規のユーザによる監視撮影データの物理破壊を防ぐことができる。
【図面の簡単な説明】
【００４７】
【図１】第一の実施の形態におけるカメラ付表示装置の機能ブロック図である。
【図２】第一の実施の形態における監視撮影記録の開始と停止、及び、再生の開始と停止を示すフローチャートである。
【図３】第二の実施の形態における監視撮影記録の開始と停止、及び、再生の開始と停止を示すフローチャートである。
【図４】第三の実施の形態におけるカメラ付表示装置の機能ブロック図である。
【図５】第三の実施の形態における大容量記憶装置の機能ブロック図である。
【符号の説明】
【００４８】
１００  カメラ付表示装置
１１０  制御部
１１１  CPU
１１２  Flash ROM
１１３  RAM
１２０  アンテナ
１３０  デコーダ
１４０  カメラ
１５０  HDD
１６０  LCD
１７０  スピーカ
１８０  赤外線受光部
１９０  無線LAN
２００  赤外線リモコン
３００  不揮発性大容量記憶装置
３１０  制御部
３１１  CPU
３１２  Flash ROM
３１３  RAM
３２０  無線LAN
３３０  HDD
【図１】
0005308714.tif 000002
【図２】
0005308714.tif 000003
【図３】
0005308714.tif 000004
【図４】
0005308714.tif 000005
【図５】
0005308714.tif 000006